(57)【要約】【課題】本発明は、簡易な構造で開位置から閉位置へ向かう回転を抑制できるベビーゲートを提供する。【解決手段】本発明のベビーゲート１は、通路に取り付け可能な枠部２と、枠部２に回転可能に設けられ、回転することによって開位置と閉位置とを切り替える扉部材３と、扉部材３の回転軸３６の一端に設けられ、扉部材３を開位置から閉位置へ付勢させる第１コイルばね６と、扉部材の回転軸３６の他端に設けられ、第１付勢手段６に抗して開位置から閉位置へ向かう回転を抑制する第２コイルばね７と、を備える。【選択図】図２
2019163609.tif 000002
【特許請求の範囲】
【請求項１】
通路に取り付け可能な枠部と、
前記枠部に回転可能に設けられ、回転することによって開位置と閉位置とを切り替える扉部材と、
前記扉部材の回転軸の一端に設けられ、前記扉部材を前記開位置から前記閉位置へ付勢させる第１付勢手段と、
前記扉部材の回転軸の他端に設けられ、前記第１付勢手段に抗して前記開位置から前記閉位置へ向かう回転を抑制する第２付勢手段と、
を備える
ことを特徴とするベビーゲート。
【請求項２】
前記第１付勢手段及び前記第２付勢手段は、それぞれ、第１コイルばね及び第２コイルばねからなり、
前記第１コイルばねは、その一端が前記枠部に設けられた一端の軸受け部に当接するとともにその他端が前記回転軸の一端側に設けられた一端側ばね受け部に当接するように配置され、
前記第２コイルばねは、その一端が前記回転軸の他端側に設けられた他端側ばね受け部に当接するとともにその他端が前記枠部に設けられた他端の軸受け部に当接するように配置され、
前記扉部材は、前記回転軸が降下するように、前記開位置から前記閉位置へ向かって回転する
ことを特徴とする請求項１に記載のベビーゲート。
【請求項３】
前記枠部には、係合孔が形成され、
前記扉部材には、前記係合孔と係合可能な係合ピンが設けられ、
前記係合孔の内周側には、緩衝部材が設けられる
ことを特徴とする請求項１又は２に記載のベビーゲート。
【発明の詳細な説明】
【技術分野】
【０００１】
本発明は、ベビーゲートに関する。
【背景技術】
【０００２】
従来、扉が開位置から閉位置へ自動的に回転するようになっているベビーゲートがよく知られているが、この場合、扉が開位置から閉位置へ一定速度で自動的に回転するため、扉に幼児が挟まれないように注意する必要がある。
【０００３】
そこで、開位置から閉位置への扉の移動を制動できるベビーゲートを提供するために、枠部が通路に取付けられており、枠部の一方の支柱には、ベビーゲートの扉が開閉可能に取付けられており、扉への開操作力が解除されると、シャフトの鍔部とゲート側軸受部のスプリングストッパーとの間に設けたコイルバネの付勢力によって、扉が開位置から閉位置へ自動的に戻るようになっており、この時、扉の回転軸となるシャフトの同軸上に設けられた回転ダンパーによって、扉の開位置から閉位置への回転が制動されるようになっているベビーゲートが開示されている（特許文献１参照）。
【先行技術文献】
【特許文献】
【０００４】
【特許文献１】特開２０１１−２４７０００号公報
【発明の概要】
【発明が解決しようとする課題】
【０００５】
しかしながら、特許文献１に記載されたベビーゲートでは、シャフトの同軸上に扉の開位置から閉位置への回転を制動するための回転ダンパーを設けなければならないため、ベビーゲート全体の構造が複雑となる課題があった。
【０００６】
そこで、本発明は、以上の課題に鑑みてなされたものであり、簡易な構造で開位置から閉位置へ向かう回転を抑制できるベビーゲートを提供することを目的とする。
【課題を解決するための手段】
【０００７】
（１）上記課題を解決するために、本発明に係るベビーゲートは、通路に取り付け可能な枠部と、前記枠部に回転可能に設けられ、回転することによって開位置と閉位置とを切り替える扉部材と、前記扉部材の回転軸の一端に設けられ、前記扉部材を前記開位置から前記閉位置へ付勢させる第１付勢手段と、前記扉部材の回転軸の他端に設けられ、前記第１付勢手段に抗して前記開位置から前記閉位置へ向かう回転を抑制する第２付勢手段と、を備えることを特徴とする。
【０００８】
（２）上記構成（１）において、前記第１付勢手段及び前記第２付勢手段は、それぞれ、第１コイルばね及び第２コイルばねからなり、前記第１コイルばねは、その一端が前記枠部に設けられた一端の軸受け部に当接するとともにその他端が前記回転軸の一端側に設けられた一端側ばね受け部に当接するように配置され、前記第２コイルばねは、その一端が前記回転軸の他端側に設けられた他端側ばね受け部に当接するとともにその他端が前記枠部に設けられた他端の軸受け部に当接するように配置され、前記扉部材は、前記回転軸が降下するように、前記開位置から前記閉位置へ向かって回転してもよい。
【０００９】
（３）上記構成（１）又は（２）において、前記枠部には、係合孔が形成され、前記扉部材には、前記係合孔と係合可能な係合ピンが設けられ、前記係合孔の内周側には、緩衝部材が設けられてもよい。
【発明の効果】
【００１０】
本発明によれば、簡易な構造で開位置から閉位置へ向かう回転を抑制できるベビーゲートを提供することができる。
【図面の簡単な説明】
【００１１】
【図１】本発明に係る実施形態のベビーゲートを示す正面図である。
【図２】ベビーゲートの要部を示す概図、（ａ）扉部材が開位置に回転した状態であり、（ｂ）扉部材が閉位置に回転した状態である。
【図３】図１における部分Ａを拡大して示す断面斜視図、（ａ）扉部材が開位置に回転した状態であり、扉部材が閉位置に回転した状態である。
【図４】図１における部分Ｂを拡大して示す断面斜視図である。
【図５】図１における部分Ｃを拡大して示す断面斜視図である。
【発明を実施するための形態】
【００１２】
以下、本発明の実施形態について、図面を参照して詳細に説明する。本明細書の実施形態においては、全体を通じて、同一の部材には同一の符号を付している。なお、図中においては、Ｘ軸に沿って延在する方向を左右方向とし、Ｘ軸と直交するＺ軸に沿って延在する方向を上下方向とする。
【００１３】
図１は、本発明に係る実施形態のベビーゲート１を示す正面図である。図２は、ベビーゲート１の要部を示す概図、（ａ）扉部材３が開位置に回転した状態であり、（ｂ）扉部材３が閉位置に回転した状態である。図３は、図１における部分Ａを拡大して示す断面斜視図、（ａ）扉部材３が開位置に回転した状態であり、（ｂ）扉部材３が閉位置に回転した状態である。
【００１４】
（ベビーゲート全体の構造）
図１から図３に示すように、本発明に係る実施形態のベビーゲート１は、幼児の通行を阻止するためのものであり、通路に取り付け可能な枠部２と、枠部２に回転可能に設けられ、回転することによって開位置と閉位置とを切り替える扉部材３とを備えている。
【００１５】
枠部２は、上方側が開口した矩形枠状となっており、左右一対の支柱２１，２２と、左右一対の支柱２１，２２の下端部を連結するための底板部２５とを有している、また、一方（図１の右側）の支柱２１には、扉部材３がヒンジ接合されており、他方（図１の左側）の支柱２２の上端側には、扉部材３の上部３１の左端に左右方向に沿って設けられるハンドル３４のハンドルピン３４２（係合ピン）と係合可能なハンドルピン用係合孔２２１が形成されており（図４参照）、底板部２５の左端側には、扉部材３の下部３２の左端に上下方向に沿って設けられるロック部３５のロックピン３５２（係合ピン）と係合可能なロックピン用係合孔２５１が形成されている（図５参照）。
【００１６】
なお、ハンドル３４、ハンドルピン３４２及びハンドルピン用係合孔２２１は、ハンドル機構を構成し、ロック部３５、ロックピン３５２及びロックピン用係合孔２５１は、ロック機構を構成する。
【００１７】
扉部材３は、左右方向に沿って延在する棒状の上部３１及び下部３２と、上部３１と下部３２との間に上下方向に沿って延在するように配置されるとともに左右方向に所定の間隔を空けて上部３１と下部３２とを連結する複数の連結部３３とを有している。また、扉部材３の一端側（図１の右側）は、一方の支柱２１にヒンジ手段４によって回転可能に設けられている。
【００１８】
このように、扉部材３は、ヒンジ手段４の軸線を回転中心として、通路を閉塞する閉位置と、この閉位置から所定角度（例えば、９０度）回転し通路を開放する開位置と、へ回転可能に設けられている。
【００１９】
（ヒンジ手段）
ヒンジ手段４は、一方の支柱２１の上下端部からそれぞれ延設される上方軸受け部２３及び下方軸受け部２４と、上部３１と下部３２との間に上下方向に沿って延在するように扉部材３の一端側（図１の左側）に設けられるとともに上方軸受け部２３（一端の軸受け部）及び下方軸受け部２４（他端の軸受け部）と連結する円筒状の回転軸３６とを有して構成されている。
【００２０】
上方軸受け部２３は、上下方向を軸線方向とし、下方に向かって突出する上方円筒部２３１と、上方円筒部２３１の内周側に上方円筒部２３１と同一軸線上に設けられる上方円柱部２３２とを有している。上方円筒部２３１の内周面と上方円柱部２３２の外周面との間には、円筒状の回転軸３６の一端３６１（図２の上端）が挿入されるための上方溝部２３３が形成されている。この上方溝部２３３の底面２３４（図２の上面）は、上下方向と直交する水平方向に延在する水平面となっている。
【００２１】
一方、下方軸受け部２４は、上下方向を軸線方向とし、上方に向かって突出する下方円筒部２４１と、下方円筒部２４１の内周側に下方円筒部２４１と同一軸線上に設けられる下方円柱部２４２とを有している。下方円筒部２４１の内周面と下方円柱部２４２の外周面との間には、円筒状の回転軸３６の他端３６２（図２の下端）が挿入されるための下方溝部２４３が形成されている。この下方溝部２４３の底面２４４（図３の下面）は、一方の支柱２１側から扉部材３に向かって下方へ傾斜した傾斜面となっている。
【００２２】
回転軸３６の他端３６２は、摺動部５を介して、下方溝部２４３に挿入されている。この摺動部５は、円筒状のものであり、下方溝部２４３に挿入される肉厚壁５１と、肉厚壁５１の上方に設けられるとともに回転軸３６の他端３６２の内周面に固定される肉薄壁５２とを有している。また、この摺動部５の下面５３は、下方へ傾斜した傾斜面となっている（図３参照）。
【００２３】
円筒状の回転軸３６は、その一端３６１側の内周面に取り付けられる上方環状部３６３と、その他端３６２側の内周面に取り付けられる下方環状部３６４とを有している。上方環状部３６３の上方には、第１コイルばね６（第１付勢手段）の他端（図２の下端）に当接する上方側ばね受け部３６５（一端側ばね受け部）が設けられるとともに、下方環状部３６４の下方には、第２コイルばね７（第２付勢手段）の一端（図２の上端）に当接する下方側ばね受け部３６６（他端側ばね受け部）が設けられている。
【００２４】
第１コイルばね６は、扉部材３を開位置から閉位置へ付勢させるためのものであり、その一端が上方円柱部２３２の頂面（図２の下面）に当接するとともにその他端が上方側ばね受け部３６５の上面に当接するように、上方軸受け部２３及び上方側ばね受け部３６５の間に挟持されている。
【００２５】
一方、第２コイルばね７は、第１コイルばね６に抗して扉部材３の開位置から閉位置へ向かう回転を抑制するためのものであり、その一端が下方側ばね受け部３６６の下面に当接するとともにその他端が下方円柱部２４２の頂面（図２の上面）に当接するように、下方軸受け部２４及び下方側ばね受け部３６６の間に挟持されている。
【００２６】
図３（ａ）に示すように、扉部材３が操作力によって開位置に回転された状態である場合、回転軸３６は、その一端３６１が上方溝部２３３の底面２３４に当接しており、その他端３６２に固定される摺動部５の傾斜した下面５３が下方溝部２４３の傾斜した底面２４４に対して平行となっていない状態となっている。すなわち、扉部材３が操作力によって開位置に回転された状態である場合、回転軸３６が最も上方に位置付けられている。
【００２７】
この状態において、上方円柱部２３２の頂面と上方側ばね受け部３６５の上面との間の距離Ｌ１が最も小さくなっているため、第１コイルばね６が、最も圧縮されるように、上方軸受け部２３及び上方側ばね受け部３６５の間に挟持されており、下方円柱部２４２の頂面と下方側ばね受け部３６６の下面との間の距離Ｌ２が最も大きくなっているため、第２コイルばね７が、最も圧縮されないように、下方軸受け部２４及び下方側ばね受け部３６６の間に挟持されている。
【００２８】
また、図３（ｂ）に示すように、扉部材３が閉位置に自動的に回転した状態である場合、回転軸３６は、その一端３６１が上方溝部２３３の底面２３４に当接しておらず、その他端３６２に固定される摺動部５の傾斜した下面５３が下方溝部２４３の傾斜した底面２４４に対して平行となっている状態となっている。すなわち、扉部材３が閉位置に自動的に回転した状態である場合、回転軸３６が最も下方に位置付けられている。
【００２９】
この状態において、上方円柱部２３２の頂面と上方側ばね受け部３６５の上面との間の距離Ｌ１が最も大きくなっているため、第１コイルばね６が、最も圧縮されないように、上方軸受け部２３及び上方側ばね受け部３６５の間に挟持されており、下方円柱部２４２の頂面と下方側ばね受け部３６６の下面との間の距離Ｌ２が最も小さなくなっているため、第２コイルばね７が、最も圧縮されるように、下方軸受け部２４及び下方側ばね受け部３６６の間に挟持されている。
【００３０】
そして、操作力が扉部材３の開位置から解除されると、扉部材３の自重及び第１コイルばね６の付勢力によって、下方溝部２４３の傾斜した底面２４４に対して、摺動部５の傾斜した下面５３が平行となる方向へ摺動する。この場合、扉部材３は、その回転軸３６が上方から下方に向かって降下するとともに、開位置から閉位置へ自動的に回転するようになっている。
【００３１】
扉部材３が開位置から閉位置へ自動的に回転していく際に、下方円柱部２４２の頂面と下方側ばね受け部３６６の下面との間の距離Ｌ２が小さくなるに従って、両者の間に挟持される第２コイルばね７は、圧縮されるようになっていき、扉部材３の自重及び第１コイルばね６の付勢力に抗して、扉部材３の開位置から閉位置へ向かう回転を抑制することになっている。
【００３２】
一方、扉部材３が操作力によって閉位置から開位置へ回転される場合、下方溝部２４３の傾斜した底面２４４に対して、摺動部５の傾斜した下面５３が回転しながら摺動することで、回転軸３６が下方から上方へ上昇する。
【００３３】
（ハンドル機構）
つぎに、ハンドル機構について、図４を参照して詳細に説明する。
【００３４】
図４は、図１における部分Ｂを拡大して示す断面斜視図である。
図４に示すように、ハンドル３４は、取っ手を有するハンドル機構の一部を構成するためのものであり、左右方向に沿って延在するように上部３１に取り付けられる筒状のハンドルベース３４１と、ハンドルベース３４１の内側の一端（左端）側に左右方向に沿って摺動可能に設けられるハンドルピン３４２と、ハンドルピン３４２を一端側に付勢させるコイルばね３４３と、ハンドルベース３４１の内側の他端（右端）側に設けられるとともにコイルばね３４３を取り付けるばね取付部３４４と、ハンドルベース３４１の外側に左右方向に沿って摺動可能に設けられるハンドル操作部３４５と、左右方向に沿って延在するように形成される貫通スリット３４６と、ハンドルピン３４２とハンドル操作部３４５とを結合するものであって貫通スリット３４６に沿って摺動可能に設けられる結合部３４７とを有している。
【００３５】
貫通スリット３４６の一端側（左側）には、コイルばね３４３の付勢による結合部３４７との衝突を緩和するための緩衝部材３４８が取り付けられている。なお、本実施形態では、緩衝部材３４８は、貫通スリット３４６の一端側に取り付けられているが、これに限定されるものではなく、例えば、結合部３４７の一端側（左側）に取り付けられてもよい。
【００３６】
一方、他方の支柱２２の上端側には、ハンドルピン３４２と係合可能なハンドルピン用係合孔２２１が形成されており、このハンドルピン用係合孔２２１は、その内周面にハンドルピン３４２との衝突を緩和する環状の緩衝部材２２２を備えている。なお、本実施形態では、環状の緩衝部材２２２は、ハンドルピン用係合孔２２１の内周面に取り付けられているが、これに限定されるものではなく、例えば、ハンドルピン３４２の先端の外周面に取り付けられてもよい。
【００３７】
（ロック機構）
つぎに、ロック機構について、図５を参照して詳細に説明する。
【００３８】
図５は、図１における部分Ｃを拡大して示す断面斜視図である。
図５に示すように、ロック部３５は、ロック機構の一部を構成するためのものであり、上下方向に沿って延在するように下部３２に取り付けられる筒状のロックベース３５１と、ロックベース３５１の内側の一端（下端）側に上下方向に沿って摺動可能に設けられるロックピン３５２と、ロックベース３５１の外側に上下方向に沿って摺動可能に設けられるロック解除部（図示しない）と、上下方向に沿って延在するように形成される貫通スリット（図示しない）と、ロックピン３５２とロック解除部とを結合するものであって貫通スリットに沿って摺動可能に設けられる結合部（図示しない）とを有している。
【００３９】
一方、底板部２５の左端側には、自重で落下するロックピン３５２と係合可能なロックピン用係合孔２５１が形成されており、このロックピン用係合孔２５１は、その内周面にロックピン３５２との衝突を緩和する環状の緩衝部材２５２を備えている。なお、本実施形態では、環状の緩衝部材２５２は、ロックピン用係合孔２５１の内周面に取り付けられているが、これに限定されるものではなく、例えば、ロックピン３５２の先端の外周面に取り付けられてもよい。
【００４０】
（実施形態の効果）
このように構成される本発明の実施形態に係るベビーゲート１は、通路に取り付け可能な枠部２と、枠部２に回転可能に設けられ、回転することによって開位置と閉位置とを切り替える扉部材３と、扉部材３の回転軸３６の一端に設けられ、扉部材３を開位置から閉位置へ付勢させる第１コイルばね６と、扉部材３の回転軸３６の他端に設けられ、第１コイルばね６に抗して開位置から閉位置へ向かう回転を抑制する第２コイルばね７と、を備える。これにより、回転軸３６に回転ダンパーを設けることなく、簡易な構造で開位置から閉位置へ向かう回転を抑制することができる。
【００４１】
また、本発明の実施形態に係るベビーゲート１では、第１コイルばね６は、その一端が枠部２に設けられた一端の上方軸受け部２３に当接するとともにその他端が回転軸３６の一端側に設けられた上方側ばね受け部３６５に当接するように配置され、第２コイルばね７は、その一端が回転軸３６の他端側に設けられた下方側ばね受け部３６６に当接するとともにその他端が枠部２に設けられた他端の下方軸受け部２４に当接するように配置され、扉部材３は、回転軸３６が降下するように、開位置から閉位置へ向かって回転する。これにより、新たな構造を追加することなく、第２コイルばね７を回転軸３６の他端側にコンパクトに収納することができ、ベビーゲート１全体の簡易化及び小型化を図ることができる。
【００４２】
さらに、本発明の実施形態に係るベビーゲート１では、枠部２には、ハンドルピン用係合孔２２１及びロックピン用係合孔２５１が形成され、扉部材３には、それぞれ、ハンドルピン用係合孔２２１及びロックピン用係合孔２５１と係合可能なハンドルピン３４２及びロックピン３５２が設けられ、ハンドルピン３４２及びロックピン３５２の内周側には、それぞれ、環状の緩衝部材２２２及び環状の緩衝部材２５２が設けられる。これにより、ハンドルピン３４２とハンドルピン用係合孔２２１との衝突及びロックピン３５２とロックピン用係合孔２５１との衝突を緩和することができ、衝突による衝撃音を抑制することができる。
【００４３】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４４】
１          ベビーゲート
２          枠部
２１      一方の支柱
２２      他方の支柱
２２１  ハンドルピン用係合孔
２２２  環状の緩衝部材
２３      上方軸受け部
２３１  上方円筒部
２３２  上方円柱部
２３３  上方溝部
２３４  底面
２４      下方軸受け部
２４１  下方円筒部
２４２  下方円柱部
２４３  下方溝部
２４４  底面
２５      底板部
２５１  ロックピン用係合孔
２５２  環状の緩衝部材
３          扉部材
３１      上部
３２      下部
３３      連結部
３４      ハンドル
３４１  ハンドルベース
３４２  ハンドルピン
３４３  コイルばね
３４４  ばね取付部
３４５  ハンドル操作部
３４６  貫通スリット
３４７  結合部
３４８  緩衝部材
３５      ロック部
３５１  ロックベース
３５２  ロックピン
３５３  コイルばね
３５４  ばね取付部
３６      回転軸
３６１  一端
３６２  他端
３６３  上方環状部
３６４  下方環状部
３６５  上方側ばね受け部
３６６  下方側ばね受け部
４          ヒンジ手段
５          摺動部
５１      肉厚壁
５２      肉薄壁
５３      下面
６          第１コイルばね
７          第２コイルばね
【図１】
2019163609.tif 000003
【図２】
2019163609.tif 000004
【図３】
2019163609.tif 000005
【図４】
2019163609.tif 000006
【図５】
2019163609.tif 000007